(57)【要約】【課題】設置スペースやコストの問題を招来することがなく、脱いだ衣服等の物品を見栄え良く収納すること。【解決手段】後脚フレーム２０及び前脚フレーム３０によって支持された天板１の下方に収納棚１０を備え、この収納棚１０よりも下方となる部位に、外部から物品の出し入れが可能となるネット５０を配設した。【選択図】図１
2012061257.tif 000002
【特許請求の範囲】
【請求項１】
脚部によって支持された天板よりも下方となる部位に、外部から物品の出し入れが可能となるネットを配設したことを特徴とする机。
【請求項２】
前記天板の下方には、該天板との間に物品を収容する収納棚を備え、この収納棚の下方に前記ネットを配設したことを特徴とする請求項１に記載の机。
【請求項３】
前記脚部は、前記天板の左右となる部位に前脚フレーム及び後脚フレームを備え、これら前脚フレーム及び後脚フレームに前記ネットを着脱可能に支持する係止フックを備えたことを特徴とする請求項１または請求項２に記載の机。
【請求項４】
前記係止フックは、前記前脚フレームと前記後脚フレームとの互いに対向する部位から他方の脚部に向けて突出させたことを特徴とする請求項３に記載の机。
【請求項５】
前記後脚フレームは前記天板の後端部から下方に向けて延在し、かつ前記前脚フレームは前記天板の前端縁と前記後脚フレームとの間となる部位から下方に向けて延在したことを特徴とする請求項３または請求項４に記載の机。
【発明の詳細な説明】
【技術分野】
【０００１】
本発明は、机に関するもので、特に、小学校や中学・高等学校等の教育施設で用いられる机に関するものである。
【背景技術】
【０００２】
小学校や中学・高等学校等の教育施設で用いられる机としては、左右の脚部フレームの間に天板を支持したものが一般的である。天板の下方には、手前側が開放した収納棚が設けられており、その内部に教科書やノート等の文具を収納させることが可能である。また、天板の側面にはフックが設けられており、鞄や帽子を係止させておくことができる（例えば、特許文献１参照）。
【先行技術文献】
【特許文献】
【０００３】
【特許文献１】特開２０１０−９９３５３号公報
【発明の概要】
【発明が解決しようとする課題】
【０００４】
ところで、更衣室が完備されていない教育施設においては、体育の時間に着替えた衣服を収納する場所がない。生徒が個別に使用する備品としては机があるが、上述したように、収納棚やフック以外に物品の収納領域がないのが多数である。このため、生徒は、机の上に脱いだ衣服を置いているのが実情である。
【０００５】
しかしながら、机の上の衣服が綺麗に折り畳まれていることは稀であり、外観上、見苦しさがあるのは否めない。また、机のそばを通った際に机の上から衣服が床に落下する恐れもある。こうした問題は、収納ボックス等、新たな収納具を用意すれば解決することが可能である。しかしながら、新たな収納具を適用するには、設置するためのスペースが必要となるばかりか、多大なコストが必要になるという問題を招来することになる。
【０００６】
本発明は、上記実情に鑑みて、設置スペースやコストの問題を招来することがなく、脱いだ衣服等の物品を見栄え良く収納することのできる机を提供することを目的とする。
【課題を解決するための手段】
【０００７】
上記目的を達成するため、本発明に係る机は、脚部によって支持された天板よりも下方となる部位に、外部から物品の出し入れが可能となるネットを配設したことを特徴とする。
【０００８】
また、本発明は、上述した机において、前記天板の下方には、該天板との間に物品を収容する収納棚を備え、この収納棚の下方に前記ネットを配設したことを特徴とする。
【０００９】
また、本発明は、上述した机において、前記脚部は、前記天板の左右となる部位に前脚フレーム及び後脚フレームを備え、これら前脚フレーム及び後脚フレームに前記ネットを着脱可能に支持する係止フックを備えたことを特徴とする。
【００１０】
また、本発明は、上述した机において、前記係止フックは、前記前脚フレームと前記後脚フレームとの互いに対向する部位から他方の脚部に向けて突出させたことを特徴とする。
【００１１】
また、本発明は、上述した机において、前記後脚フレームは前記天板の後端部から下方に向けて延在し、かつ前記前脚フレームは前記天板の前端縁と前記後脚フレームとの間となる部位から下方に向けて延在したことを特徴とする。
【発明の効果】
【００１２】
本発明によれば、天板の下方に配設したネットに物品を収納させておくことができるため、外観上の問題や物品が落下する等の問題を招来する恐れがない。しかも、天板の下方にネットを配設すれば良いため、新たな設置スペースが必要となることもなく、安価に物品を収納することができる。
【００１３】
また、本発明によれば、収納棚の下方にネットを配設しているため、収納棚による収納スペースを確保しつつ、ネットによる収納スペースを追加することができる。
【００１４】
また、本発明によれば、前脚フレーム及び後脚フレームにネットを着脱可能に支持する係止フックを備えるようにしているため、不必要時にネットを取り外すことができる。
【００１５】
また、本発明によれば、係止フックが前脚フレームと後脚フレームとの互いに対向する部位から他方の脚部に向けて突出してあり、天板の外方側及び内方側のいずれの方向にも突出する構成にないため、係止フックが椅子に座ったものや机の傍らを通過するものに引掛かる恐れがない。
【００１６】
また、本発明によれば、天板が前脚フレームよりも手前側に突出し、後脚フレームと前脚フレームとに係止させたネットが天板の下方においてその後端側部分にのみネットが配設されることになる。従って、着座時においてネットが邪魔になる事態を可及的に防ぐことができる。
【図面の簡単な説明】
【００１７】
【図１】図１は、本発明の実施の形態である机を下方から見た斜視図である。
【図２】図２は、図１に示した机の側面図である。
【図３】図３は、図１に示した机の平面断面図である。
【図４】図４は、図１に示した机に適用するネットの外観図である。
【図５】図５は、図１に示した机に椅子をセットした状態を示す斜視図である。
【発明を実施するための形態】
【００１８】
以下、添付図面を参照しながら本発明に係る机の好適な実施の形態について詳細に説明する。
【００１９】
図１〜図３は、本発明の実施の形態である机を示したものである。ここで例示する机は、小学校や中学・高等学校等の教育施設において生徒が使用することを目的として構成したもので、天板１を備えている。
【００２０】
天板１は、表面を平坦に構成した矩形の板状を成す部材である。この天板１の裏面には、収納棚１０が設けてある。収納棚１０は、縦横の長さを天板１よりも小さく構成した矩形の板状を成し、かつ左右の両側端縁及び後端縁にそれぞれ周壁部１０ａ，１０ｂ，１０ｃを有したもので、各周壁部１０ａ，１０ｂ，１０ｃの上端部を介して天板１の裏面に取り付けることにより、天板１の裏面との間に物品の収容空間１１を構成している。この収容空間１１は、天板１の手前側に位置する端部が常時開放しており、この開放された開口を介して内部に物品を出し入れすることが可能である。また、天板１の裏面には、図１及び図２に示すように、その両側に左右一対の後脚フレーム２０及び前脚フレーム３０が取り付けてある。
【００２１】
後脚フレーム２０は、それぞれ天板１の後端隅部から下方に向けて延在する主後脚部２１と、主後脚部２１の下端部から前方に向けて屈曲した接地部２２とを一体に成形したもので、主後脚部２１の上端部を介して天板１の裏面に固定してある。後脚フレーム２０の接地部２２は、天板１の上下方向に沿った寸法とほぼ等しい長さに形成してあり、その後端部の下面及び前端部の下面にそれぞれカバー部材２３を備えている。カバー部材２３は、机を接地した際に床面に当接する部分である。後脚フレーム２０の相互間には、連結フレーム２４が設けてある。連結フレーム２４は、主後脚部２１において収納棚１０よりも下方となる部位に水平方向に沿って配設したもので、後脚フレーム２０の間を互いに連結している。
【００２２】
前脚フレーム３０は、それぞれ天板１の前後方向略中央となる部位から下方に向けて延在する主前脚部３１と、主前脚部３１の下端部から前方に向けて屈曲した連結部３２とを一体に成形したもので、主前脚部３１の上端部を介して天板１の裏面に固定してある。前脚フレーム３０の連結部３２は、接地部２２よりも長さが小さく形成してあり、互いの先端の位置をほぼ合致させた状態で接地部２２の上部に連結してある。
【００２３】
これら後脚フレーム２０及び前脚フレーム３０には、係止フック４０が設けてある。係止フック４０は、後脚フレーム２０の主後脚部２１及び前脚フレーム３０の主前脚部３１において収納棚１０の下面よりも下方となる高さ位置に取り付けたものである。それぞれの係止フック４０は、一旦径外方向に突出した後、屈曲して上方に延在している。本実施の形態では、図１及び図３に示すように、主後脚部２１及び主前脚部３１の互いに対向する部位から他方に向けて係止フック４０が突設してある。つまり、係止フック４０は、主後脚部２１及び主前脚部３１からは、天板１の外方側及び内方側のいずれの方向にも突出する構成にない。
【００２４】
一方、この机には、図１〜図３に示すように、ネット５０が用意してある。ネット５０は、後脚フレーム２０及び前脚フレーム３０の相互間隔と同等の幅を有し、かつ後脚フレーム２０の相互間隔と同等の長さを有したほぼ矩形の薄幕状を成すものである。本実施の形態では、図４に示すように、繊維によって構成したもので、薄く、かつ軽量であるとともに、折り畳んだり、丸めたりと、任意の形状に変形させることが可能である。ネット５０の周囲には、ネット５０が平坦状となった形状を安定化させるために、その全周に渡って布製の補強帯５１が付設してある。ネット５０の四隅部には、係止リング５２が設けてある。係止リング５２は、補強帯５１と同様に、比較的強度を有した布によって環状に形成したもので、ネット５０の四隅部においてそれぞれ補強帯５１に縫い付けてある。
【００２５】
上記のように構成した机では、図１〜図３に示すように、四隅部の係止リング５２をそれぞれ係止フック４０に引掛ければ、収納棚１０よりも下方となる部位であって、収納棚１０の後端側部分に対応する部位にネット５０を配設することができる。ネット５０は、四隅部が係止リング５２及び係止フック４０を介して後脚フレーム２０の主後脚部２１及び前脚フレーム３０の主前脚部３１に支持され、ほぼ水平に沿って平坦状に配置された状態にある。従って、外部からネット５０の上面に物品を差し入れれば、当該物品をネット５０の上面に載置した状態で収納させることが可能となる。
【００２６】
ネット５０の上面に収納された物品は、天板１及び収納棚１０によって上方が覆われた状態にあり、外部から容易に視認できる状態にない。また、ネット５０の上面に収納された物品は、机の傍らを通過する通行人が接触することもなく、収納位置がずれる恐れもない。従って、例えば更衣室が完備されていない教育施設において、体育の時間に着替えた衣服をネット５０の上面に収納させておけば、仮にきちんと折り畳んでない状態であっても、外観上の見苦しさを招来することはなく、床に落下する恐れもない。しかも、上述のネット５０は、天板１の下方に配設すれば良いため、新たな設置スペースが必要となることもなく、安価に物品を収納することができる。さらに、ネット５０は通気性に優れているため、収納している間に衣服が蒸れることもない。
【００２７】
図５に示すように、ネット５０を配設したままの状態では、椅子１００の座面からの距離を十分に確保することができないため、椅子１００に座った場合に膝がぶつかる恐れがある。しかしながら、ネット５０及びこれに収納した衣服は、膝に触れた部分が適宜変形したり、移動したりすることができるため、膝が怪我する恐れは全くない。しかも、椅子１００に座る場合には、係止リング５２を係止フック４０から取り外せば、ネット５０を取り外すことができ、椅子１００の座面からの距離を確保することができるようになり、膝がぶつかる事態を未然に防止できる。さらに、取り外したネット５０は、丸めたり、折り畳んだ状態とすることができるため、収納棚１０によって構成した収納空間に収納させておけば、紛失する恐れもない。さらに、丸めたり、折り畳んだネット５０は、鞄に入れることも可能であり、自宅に持ち帰って簡単に洗濯することもできる。
【００２８】
また、上述した机によれば、係止フック４０を主後脚部２１及び主前脚部３１の互いに対向する部位から他方に向けて突設し、天板１の外方側及び内方側のいずれの方向にも突出する構成にないため、係止フック４０が椅子１００に座ったものや机の傍らを通過するものに引掛かる恐れがない。
【００２９】
尚、上述した実施の形態では、天板１の下方に収納棚１０を有した机を例示しているが、必ずしも収納棚１０を備えている必要はない。また、後脚フレーム２０を天板１の後端部から下方に向けて延在し、かつ前脚フレーム３０を天板１の前端縁と後脚フレーム２０との間となる部位から下方に向けて延在することにより、天板１（収納棚１０）の下方においてその後端側部分にのみネット５０を配設するようにしているため、着座時においてネット５０が邪魔になる事態を可及的に防ぐことができる。しかしながら、本発明はこれに限定されず、例えば、後脚フレーム２０を天板１の後端部から下方に向けて延在し、かつ前脚フレーム３０を天板１の前端部から下方に向けて延在するとともに、天板１（収納棚１０）と同等の大きさを有したネット５０を用意し、これを天板１（収納棚１０）の全面に対応する部位に配設しても構わない。さらに、天板１の前端側からネット５０への物品の出し入れを考慮し、天板１（収納棚１０）の前端側部分にのみネット５０を配設しても構わない。
【００３０】
また、上述した実施の形態では、広げた場合に平坦状となるネット５０を適用しているが、本発明はこれに限らず、袋状を呈するものを適用しても良い。この場合、袋の開口を上方に有するものであっても良いし、前方に開口するように構成したものであっても良い。
【符号の説明】
【００３１】
１      天板
１０      収納棚
２０      後脚フレーム
３０      前脚フレーム
４０      係止フック
５０      ネット
５２      係止リング
【図１】
2012061257.tif 000003
【図２】
2012061257.tif 000004
【図３】
2012061257.tif 000005
【図４】
2012061257.tif 000006
【図５】
2012061257.tif 000007